Podtech/llm-jp-corpus-v4-ja_patent huggingface dataset:
【手続補正書】
【提出日】平成18年4月26日(2006.4.26)
【手続補正１】
【補正対象書類名】特許請求の範囲
【補正対象項目名】全文
【補正方法】変更
【補正の内容】
【特許請求の範囲】
【請求項１】
光ファイバを形成する方法において、前記方法が、
前記光ファイバに熱エージング欠陥を導入するのに十分な線引き速度及び線引き張力でドープトガラス供給源から前記光ファイバを線引きする工程、及び
前記熱エージング欠陥を減少させ、前記光ファイバの形成後に減衰が増大する前記光ファイバの傾向を弱めるために、前記光ファイバをある処理張力範囲内に維持しながら、ある処理時間にわたりある処理温度範囲内に前記光ファイバを維持することにより、前記光ファイバを処理する工程、
を含むことを特徴とする方法。
【請求項２】
前記光ファイバにゲルマニウムドーパントがドープされていることを特徴とする請求項１に記載の方法。
【請求項３】
前記処理温度範囲が約１１００℃から約１５００℃の間であることを特徴とする請求項１に記載の方法。
【請求項４】
前記処理時間が約０.０２５秒と０.５秒の間の範囲にあることを特徴とする請求項１に記載の方法。
【請求項５】
前記処理時間が約０.０３秒と０.１秒の間の範囲にあることを特徴とする請求項４に記載の方法。
【請求項６】
前記線引き速度が約６ｍ/秒と２５ｍ/秒の間であることを特徴とする請求項１に記載の方法。
【請求項７】
前記処理する工程が、８３０℃/秒より高く、４０００℃/秒より低い、冷却速度で前記光ファイバを冷却する工程をさらに含むことを特徴とする請求項１に記載の方法。
【請求項８】
前記線引きする工程が、線引きされた光ファイバが初めは第１のガスで取り囲まれるように線引き炉から前記光ファイバを線引きする工程を含み、
前記処理する工程が、前記線引きされた光ファイバに受動マッフルの通路を通過させる工程を含み、
前記通路には前記第１のガスより低い熱伝導度を有する第２のガスが入っており、前記第１及び第２のガスが混ざり合い、前記受動マッフルの前記通路の末端から出る、
ことを特徴とする請求項１に記載の方法。
【請求項９】
前記線引き炉と前記受動マッフルの結合部において周囲空気が前記線引き炉または前記受動マッフルに侵入できないように、前記線引き炉と前記受動マッフルが相互に配置されることを特徴とする請求項８に記載の方法。
【請求項１０】
前記第２のガスが、アルゴン、ネオン、窒素及び酸素からなる群から選ばれることを特徴とする請求項８に記載の方法。
【請求項１１】
光ファイバを作製するための装置において、前記光ファイバをそれから線引きすることができる光ファイバプリフォーム及び第１の熱伝導度係数を有するフォーミングガスが入っている通路を有する線引き炉及び前記線引き炉の下流に配置された熱エージング処理装置を備え、前記処理装置が処理管及び流体が通過できるように前記処理管に接続された処理ガス分配器を備え、前記ガス分配器が軸方向に間隔をおいた少なくとも２つの場所において前記管に接続された、前記軸方向に間隔をおいた少なくとも２つの場所における前記管への処理ガスの供給を可能にする、軸方向に間隔をおいた少なくとも２つの供給ポートを有することを特徴とする装置。
【請求項１２】
前記処理装置が前記マッフル管を取り囲む処理炉をさらに備え、前記処理炉が少なくとも１つの加熱素子を備えることを特徴とする請求項１１に記載の装置。
【請求項１３】
前記処理管が少なくとも１２ｍｍの最小寸法を有することを特徴とする請求項１１に記載の装置。
【手続補正書】
【提出日】平成17年12月6日(2005.12.6)
【手続補正１】
【補正対象書類名】特許請求の範囲
【補正対象項目名】請求項１
【補正方法】変更
【補正の内容】
【請求項１】
まず細長い多孔質の煤体を、ケイ素含有化合物の火炎加水分解及び回転する担体上でのＳｉＯ２粒子の層状の堆積によって製造し、前記煤体を脱水処理し、かつ次いでガラス化炉内でガラス化させる、低ＯＨ含有率を有する円筒状石英ガラス体の製造方法において、脱水処理を脱水炉内で実施し、脱水処理後に煤体をガラス化炉内に導入し、かつこれにより煤体にヒドロキシル基を混入させ、かつガラス化前に煤体を保護ガス中及び／又は真空中でガラス化炉内で、加熱帯域において１００〜１３５０℃の範囲に及ぶ温度まで加熱して前処理することを特徴とする方法。
【誤訳訂正書】
【提出日】平成17年5月20日(2005.5.20)
【誤訳訂正１】
【訂正対象書類名】特許請求の範囲
【訂正対象項目名】請求項４１
【訂正方法】変更
【訂正の内容】
【請求項４１】
前記中間層の堆積が、第１の中間酸化亜鉛フィルムと、中間二酸化チタンフィルムと、第２の中間酸化亜鉛フィルムとを堆積することを含む請求項３０記載の方法。
【誤訳訂正２】
【訂正対象書類名】明細書
【訂正対象項目名】０００４
【訂正方法】変更
【訂正の内容】
【０００４】
前述のように、日射反射の問題は、低放射率コーティングなどの反射性コーティングを備えた、窓およびその他のグレイジング（例えば、ドア、天窓など）において、特に重大である。低放射率コーティングは、当該技術において周知である。これらのコーティングは、一般に、１層以上の反射性銀層と、二層以上の透明誘電層とを含む。これらのコーティングにおける銀層は、一般に、赤外線の反射性が高い。よって、これらは、放射熱がコーティングを透過するのを有利に減少させる。しかしながら、これらのコーティングは、比較的高い日射反射率を有する傾向がある。例えば、透明な、コーティングされていないガラスの日射反射が、通常、およそ１３％であるのに対し、従来の低放射率コーティングを備えた窓は、通常、少なくとも約３０％〜３５％の日射反射率を有する。このように、日射反射の問題という点から見ると、従来の低放射率コーティングは、理想より劣るものである。低い日射反射率を有する低放射率コーティングを提供することが望まれる。
【誤訳訂正３】
【訂正対象書類名】明細書
【訂正対象項目名】００１９
【訂正方法】変更
【訂正の内容】
【００１９】
本発明の低日射反射率、低放射率コーティング４０は、好ましくは、ＩＧユニットの「第２の」表面に設けられる。これは、おそらく、建築物９９の外壁９８のフレーム９０に取り付けられたＩＧユニット８を示す図４および５を参照することによって、よく判断される。このような実施形態において、「第１」（または、＃１）表面は、屋外環境に面するものである。従って、太陽７７からの放射ＳＲが最初に当たるのは、＃１表面である。図４および５において、第１の窓板１０の外側表面１２が、いわゆる第１表面である。＃１表面から内部側３３’に向かって、次の表面が、「第２」（または、＃２）表面である。図４に見られるように、第１の窓板１０の内側表面１４が、いわゆる第２表面である。内部側３３’に向かって、次の表面が、「第３」（または、＃３）表面であり、「第４」（または、＃４）表面と続く。図４において、第２の窓板１０’の内側表面１４’が、いわゆる第３表面であり、この窓板１０’の外側表面１２’が、いわゆる第４表面である。
【誤訳訂正４】
【訂正対象書類名】明細書
【訂正対象項目名】００２１
【訂正方法】変更
【訂正の内容】
【００２１】
低日射反射率コーティング４０がＩＧユニット８の＃２表面に設けられた実施形態においては、高吸収主層８０が、赤外反射層１５０よりも、第１の窓板１０の近くに配置されている。このような特定の実施形態において、低日射反射率コーティング４０は、基材１０から順に、少なくとも１つの透明誘電フィルムを含む内側層３０、高吸収主層８０（例えば、チタンまたはその他の高吸収性物質を含み、好ましくは少なくとも約１００オングストロームの厚みを有する。）、少なくとも１つの透明誘電フィルムを含む中間層９０、赤外反射層１５０（例えば、銀またはその他の導電性物質で形成される。）、高吸収ブロッカー層１８０（例えば、チタンまたはその他の高吸収性物質を含む、好ましくは少なくとも７５オングストロームの厚みを有する。）、少なくとも１つの透明誘電フィルムを含む外側層１２０とを含む。
【誤訳訂正５】
【訂正対象書類名】明細書
【訂正対象項目名】００３５
【訂正方法】変更
【訂正の内容】
【００３５】
本発明のＩＧユニット８はまた、好ましい反射色を示す。ここで、反射色は、ＩＧユニット８の外側７７’から（すなわち、第１の窓板１０のガラス面１２から）測定される。本発明のＩＧユニット８の反射色相は、大部分が青緑色領域である。特に、ＩＧユニット８は、約０．７５〜約−１．７５のａh色座標と、約−９．７５〜約−１２．２５のｂh色座標とで特徴付けられる反射色を示す。特に好ましい実施形態（コーティング４０が、後に詳説する５つの独特な好ましいフィルム積層体のうちの１つである場合）においては、ＩＧユニット８は、約０．６〜約−１．５のａh色座標と、約−９．９〜約−１１．９のｂh色座標とで特徴付けられる反射色を示す。これは、図８に示され、本図において、このようなＩＧユニット８の外側反射色は、破線で規定される色範囲で示される。本図において、反射光のｂh色値は完全に負であり、反射光のａh色値の大部分は負であることが分かる。よって、ＩＧユニット８の反射色相は青緑色の範囲である。更に、負のｂh値の絶対値は、負のａh値の絶対値よりもかなり大きく、透過色は顕著な青色である。このように、低日射反射率コーティング４０は、本発明のＩＧユニット８に好ましい反射色を与える。
【誤訳訂正書】
【提出日】平成17年5月20日(2005.5.20)
【誤訳訂正１】
【訂正対象書類名】明細書
【訂正対象項目名】００２４
【訂正方法】変更
【訂正の内容】
【００２４】
「日射反射率」という用語は、当該技術において周知である。ここで、この用語は、モノリシック窓板（対向するフィルム面にコーティング４０を備える。）のガラス面または本発明のＩＧユニット８の外面から反射した、入射太陽放射ＳＲの割合を指すという、周知の意味に従って使用される。当業者であれば、モノリシック窓板のガラス面から測定された日射反射率は、表面１２で反射した太陽放射だけでなく、表面１４で反射した太陽放射をも含むことがわかる。同様に、ＩＧユニット８の外側の日射反射率（ユニット８の外側７７から測定される。）は、表面１２で反射した太陽放射だけでなく、表面１４、１４’、１２’で反射した太陽放射をも含む。報告される日射反射率は、モノリシック窓板のガラス面の中央部、または、本発明のＩＧユニット８の外側窓板１０のガラス面の中央部から測定され、Ｒs（ｓは太陽を表す。）として示される。日射反射率は、「シート材の太陽エネルギー透過率および反射率のための標準試験方法（地球上）、アメリカ材料検査協会（StandardTest Methods for Solar Energy Transmittance and Reflectance (Terrestrial), ASTM）」に明記されているように測定することができ、ここにその教示のすべてを引用して組み入れる。
【誤訳訂正２】
【訂正対象書類名】明細書
【訂正対象項目名】００３１
【訂正方法】変更
【訂正の内容】
【００３１】
「可視反射率」という用語は、当該技術において周知である。ここで、この用語は、モノリシック窓板（対向するフィルム面にコーティング４０を備える。）のガラス面または本発明のＩＧユニット８の外面から反射した、全入射可視光線の割合を指すという、周知の意味に従って使用される。当業者であれば、モノリシック窓板のガラス面での可視反射率は、表面１２で反射した可視光線だけでなく、表面１４で反射した可視光線をも含むことがわかる。同様に、ＩＧユニット８の外側面での可視反射率（ユニット８の外側７７から測定される。）は、表面１２で反射した可視光線だけでなく、表面１４、１４’、１２’で反射した可視光線をも含む。報告される可視反射率は、モノリシック窓板のガラス面の中央部、または、本発明のＩＧユニット８の外側窓板１０のガラス面の中央部から測定され、Ｒv（ｖは可視を表す。）として示される。可視反射率は、前出の「シート材の太陽エネルギー透過率および反射率のための標準試験方法（地球上）、アメリカ材料検査協会（ＡＳＴＭ）」に明記されているように測定することができる。
【誤訳訂正３】
【訂正対象書類名】明細書
【訂正対象項目名】００４５
【訂正方法】変更
【訂正の内容】
【００４５】
低日射反射率コーティング４０は、高吸収主層８０を含むことが好ましい。高吸収主層８０は、特定の物質で形成されることが好ましい。例えば、この主層は、チタン、ニオブまたはその他の日射吸収性の高い物質（例えば、窒化チタンなどの高吸収性誘電物質）を含むことが好ましい。高吸収主層８０は、入射する太陽放射の実質的な部分を吸収する。特定の好ましい実施形態において、主層８０は、金属チタン、金属ニオブまたはその他の日射吸収性の高い金属物質を含む。よって、層８０は、高吸収性金属物質からなるか、または、実質的に高吸収性金属物質からなる。幾つかの例においては、高吸収主層８０の全てではなく一部が金属である。このような場合、この層８０の外側部分（すなわち、基材から離れた部分）が、ある程度まで酸化、窒化またはその他の反応していてもよい。これは、高吸収主層８０が金属フィルムとして堆積され、後続フィルムの堆積が反応性（例えば、酸化および／または窒化）雰囲気において実施される場合に生じ易い。このような場合、主層８０の外表面が、後続フィルムの堆積初期に反応性雰囲気に曝され、主層８０の外側部分８０’が、酸化、窒化および／またはその他の反応をする。これらの実施形態においては、主層８０の小部分以下（例えば、厚みの５０％未満）が反応生成物（例えば、酸化物、窒化物および／または酸窒化物）であり、その大部分（例えば、厚みの５０％以上）が金属である。このように、特定の実施形態は、高吸収性金属物質およびその金属物質の反応生成物からなる、または、実質的にそれらからなる、高吸収主層を含むことが分かる。
【誤訳訂正４】
【訂正対象書類名】明細書
【訂正対象項目名】００７０
【訂正方法】変更
【訂正の内容】
【００７０】
本発明のコーティング４０のひときわ優れた光学特性は、その一部は、好ましい内側層３０、好ましい中間層９０および好ましい外側層１２０の相対的な光学厚みに起因するものである。例えば、特定の実施形態において、特定の、中間層９０の光学厚みに対する、内側層３０の光学厚みの比率が与えられる。代わりに、または追加的に、特定の、中間層９０の光学厚みに対する、外側層１２０の光学厚みの比率が与えられる。
【手続補正書】
【提出日】平成17年7月6日(2005.7.6)
【手続補正１】
【補正対象書類名】特許請求の範囲
【補正対象項目名】全文
【補正方法】変更
【補正の内容】
【特許請求の範囲】
【請求項１】
ＰＡＲ−２阻害剤及びＰＡＲ−２遺伝子発現の抑制剤からなる群から選択される１種又は２種以上の有効成分、並びに製薬上許容される担体を含有してなる遅延型過敏症の予防・治療用の医薬組成物。
【請求項２】
遅延型過敏症の予防・治療用の医薬組成物が、接触性皮膚過敏反応及び／又は、同種移植拒絶反応抑制剤である請求項１に記載の遅延型過敏症の予防・治療用の医薬組成物。
【請求項３】
遅延型過敏症の予防・治療用の医薬組成物が、接触性皮膚炎、移植片拒絶反応、移植片対宿主反応、ツベルクリン反応、肉芽腫形成、結核、ハンセン病、サルコイドーシス、クローン病、潰瘍性大腸炎、住血吸虫症、自己免疫疾患（関節リウマチ、亜慢性関節リウマチ、若年性亜慢性関節リウマチ、全身性エリテマトーデス、重症筋無力症、インスリン依存性糖尿病、橋本甲状腺炎、強皮症、悪性貧血等）、乾癬性関節炎、アトピー性皮膚炎、喘息、慢性閉塞性呼吸器疾患、鼻炎、アレルギー性結膜炎、食物アレルギー、腎炎、好中球・マクロファージ・リンパ球・好酸球のうち１種以上の炎症性細胞の浸潤を伴なう疾患の予防・治療剤である請求項１又は２に記載の遅延型過敏症の予防・治療用の医薬組成物。
【請求項４】
ＰＡＲ−２を発現する細胞に被検物質を接触させて、ＰＡＲ−２の発現又は活性を判定することにより、被検物質のＰＡＲ−２に対する阻害作用又はＰＡＲ−２遺伝子の発現の抑制作用をスクリーニングすることからなる、遅延型過敏症の予防・治療用の有効成分をスクリーニングする方法。
【請求項５】
ＰＡＲ−２を発現する細胞が、ＮＣＴＣ２５４４細胞である請求項４に記載の方法。
【請求項６】
ＰＡＲ−２に対する阻害作用又はＰＡＲ−２遺伝子の発現の抑制作用をスクリーニングする方法が、イノシトールリン酸の産生を指標にしたＰＡＲ−２アッセイによるものである請求項４又は５に記載の方法。
【請求項７】
イノシトールを含有する培地中でＰＡＲ−２発現細胞を培養し、培養中に被検物質を添加してＰＡＲ−２発現細胞によりリン酸化されたイノシトールの量を検出又は定量することによるＰＡＲ−２の作用を検出又は定量する方法。
【請求項８】
ＰＡＲ−２発現細胞が、ＮＣＴＣ２５４４細胞である請求項７に記載の方法。
【請求項９】
請求項４乃至６のいずれかに記載の方法により得られるＰＡＲ−２阻害作用又はＰＡＲ−２遺伝子発現の抑制作用を持つ物質。
【請求項１０】
請求項１乃至３のいずれかに記載の疾患を予防又は治療するための物質をスクリーニングするための、ＰＡＲ−２発現細胞の使用。
【手続補正書】
【提出日】平成17年8月9日(2005.8.9)
【手続補正１】
【補正対象書類名】特許請求の範囲
【補正対象項目名】全文
【補正方法】変更
【補正の内容】
【特許請求の範囲】
【請求項１】
ボックス部(１１)と、ボックス部に接続された蓋(１２)と、カラー(１３)とを含み、ボックス部(１１)と蓋(１２)が、円形断面の対応する直立前部および後部縁部(３５，３６)-円形縁部-を形成するヒンジ蓋付きボックス(ヒンジ蓋付きパック)タイプのシガレットパックであって、
パック縁部(３５，３６)の円形部分は、シガレット(１０)の半径よりも相当に大きい、すなわち、６mm〜１０mm、特に(約)８mmの(仮想)半径を有する点を特徴とするシガレットパック。
【請求項２】
側部壁(１９，２０)と蓋の側部壁(２４，２５)は、前部と後部の円形パック縁部(３５，３６)から形成されており、比較的幅の狭い平面の中間領域-サイドストリップ(３８)-(平面状の)サイドストリップ(３８)は、好ましくは、７mm〜８mmの幅を有するとともに、側部壁(１９，２０)および蓋の側部壁(２４，２５)は、前部と後部の円形パック縁部(３５，３６)から形成されており、比較的幅の狭い平面の中間領域-サイドストリップ(３８)-(平面状の)サイドストリップ(３８)は、好ましくは、７mm〜８mmの幅を有しており、側部壁(１９，２０)と蓋の側部壁(２４，２５)をそれぞれ形成する側部タブ(２９，３０)と蓋の側部タブ(３１，３２)は、サイドストリップ(３８)の領域においてのみ互いに重なって、接着によって互接続されている点を特徴とする請求項１に記載のシガレットパック。
【請求項３】
側部壁(１９，２０)および蓋の側部壁(２４，２５)は、全体に円形、すなわち、円形の前部および後部のパック縁部(３５，３６)と、これらの間に設けられ、円形のパック縁部(３５，３６)の半径よりも相当に大きい、すなわち、１５mm〜２０mm、特に、約１７mmの(仮想)半径を備える円形領域(３７)を有する点、および、側部壁(１９，２０)と蓋の側部壁(２４，２５)をそれぞれ形成する側部タブ(２９，３０)と蓋の側部タブ(３１，３２)は、円形領域(３７)においてのみ互いに重なって、接着によって互接続されている点を特徴とする請求項１記載のシガレットパック。
【請求項４】
シガレットパックを製造するためのブランクは、部分的に重なる側部タブ(２９，３０)と蓋の側部タブ(３１，３２)を含む側部壁(１９，２０)および蓋の側部壁(２４，２５)を有し、前記側部タブ(２９，３０)および蓋の側部タブ(３１，３２)は、少なくとも円形部分を形成する領域において、すなわち、円形のパック縁部(３５，３６)の領域において、切れ目(３９)を有する点、および、外側の側部タブ(２９)および/または内側の側部タブ(３０)および/または外側の蓋の側部タブ(３１)および/または内側の蓋の側部タブ(３２)は、側部壁(１９，２０)および蓋の側部壁(２４，２５)の平面状の境界ストリップ(４５)の領域において、平面状の重なり部を形成するための切れ目のない外側の境界ストリップ(４５)を備えている点を特徴とする請求項１または２記載のシガレットパック。
【請求項５】
ベース壁(２１)および/または端部壁(２６)には、側部壁(１９，２０)および/または蓋の側部壁(２４，２５)の領域において、それぞれに２つのコーナタブ(４１，４２)が充当されており、
それぞれに相互作用を行うコーナタブ(４１，４２)は、楔状の打ち抜き部(４３)によって互いに分離されており、前記２つのコーナタブ(４１，４２)は、曲折状態においては、隙間のない態様で互いに向き合って直接接する点を特徴とする請求項１記載のシガレットパック。
【請求項６】
シガレットのグループ(１４)は、パックの各側部壁(１９，２０)が、２本の隣接するシガレット(１０)を備える１つの横断方向列と向き合うように、パックの内容物として横断方向の複数列をなして形成される点、および、３本の隣接するシガレット(１０)の１つの横断方向列が、前記２本の隣接するシガレットを備える１つの横断方向列に隣接して配置されており、隣接横断方向列同士のシガレット(１０)は、互いにオフセットされて配置されている点を特徴とする請求項２または３記載のシガレットパック。
【手続補正書】
【提出日】平成17年9月30日(2005.9.30)
【手続補正１】
【補正対象書類名】特許請求の範囲
【補正対象項目名】全文
【補正方法】変更
【補正の内容】
【特許請求の範囲】
【請求項１】
抗感染剤、及び
ｉ）Ｖｐｒ蛋白質；
ｉｉ）Ｖｐｒ蛋白質の機能性断片；
ｉｉｉ）制御要素に作動可能に連結されたＶｐｒ蛋白質をコードする核酸；及び
ｉｖ）制御要素に作動可能に連結されたＶｐｒ蛋白質の機能性断片をコードする核酸
からなる群から選択される一つ又は複数の成分を含む、敗血症を予防及び治療するための薬学組成物。
【請求項２】
抗感染剤が、アミカシン、トブラマイシン、ネチルマイシン、ゲンタマイシン、セファロスポリン、セフタジジム、マクサラクタム、カーボペンネム、イミペンネム、アズトレオナム；アンピシリン、ペニシリン、ウレイドペニシリン、アウグメンチニン、アンオテリシン、ファムビル及びアシクロビルからなる群から選択される、請求項１記載の薬学組成物。
【請求項３】
薬学組成物が、さらに、ＳＩＲＳ／敗血症の治療における少なくとも一つの添加物を含む、請求項１記載の薬学組成物。
【請求項４】
核酸が１から５００マイクログラムの核酸の核酸の用量にて投与される、請求項１乃至３の何れか１項記載の薬学組成物。
【請求項５】
核酸が２５から２５０マイクログラムの核酸の核酸の用量にて投与される、請求項１乃至３の何れか１項記載の薬学組成物。
【請求項６】
核酸が約１００マイクログラムの核酸の核酸の用量にて投与される、請求項１乃至３の何れか１項記載の薬学組成物。
【請求項７】
制御要素に作動可能に連結されたＶｐｒ蛋白質又はその機能性断片をコードする核酸がプラスミドに含まれる、請求項１乃至３の何れか１項記載の薬学組成物。
【請求項８】
制御要素に作動可能に連結されたＶｐｒ蛋白質又はその機能性断片をコードする核酸がウイルスベクターに含まれる、請求項１乃至７の何れか１項記載の薬学組成物。
【請求項９】
ウイルスベクターがレトロウイルスベクター及びアデノウイルスベクターからなる群から選択される、請求項８記載の薬学組成物。
【請求項１０】
Ｖｐｒ蛋白質又はその機能性断片を、１日あたり体重ｋｇあたり０．１から１００ｍｇにて投与する、請求項１乃至９の何れか１項記載の薬学組成物。
【請求項１１】
Ｖｐｒ蛋白質又はその機能性断片を、１日あたり体重ｋｇあたり０．５から５０ｍｇにて投与する、請求項１乃至９の何れか１項記載の薬学組成物。
【請求項１２】
Ｖｐｒ蛋白質又はその機能性断片を、又は１日あたり体重ｋｇあたり１．０から１０ｍｇにて投与する、請求項１乃至９の何れか１項記載の薬学組成物。
【手続補正書】
【提出日】平成17年10月11日(2005.10.11)
【手続補正１】
【補正対象書類名】特許請求の範囲
【補正対象項目名】全文
【補正方法】変更
【補正の内容】
【特許請求の範囲】
【請求項１】
X線造影剤からなる眼内投与用のアレルギー性結膜炎治療剤であって、X線造影剤が三ヨウ素化され全部または一部が置換されたベンゼン環を有する治療剤。
【請求項２】
前記X線造影剤がイオキサグラート及びイオジキサノールからなる群から選択される、請求項１に記載の治療剤。
【請求項３】
前記X線造影剤がイオジキサノールである、請求項２に記載の治療剤。
【請求項４】
X線造影剤からなる鼻孔内投与用のアレルギー性鼻炎治療剤であって、X線造影剤が三ヨウ素化され全部または一部が置換されたベンゼン環を有する治療剤。
【請求項５】
前記X線造影剤がイオキサグラート及びイオジキサノールからなる群から選択される、請求項４に記載の治療剤。
【請求項６】
前記X線造影剤がイオジキサノールである、請求項５に記載の治療剤。
【手続補正書】
【提出日】平成18年1月23日(2006.1.23)
【手続補正１】
【補正対象書類名】特許請求の範囲
【補正対象項目名】全文
【補正方法】変更
【補正の内容】
【特許請求の範囲】
【請求項１】
治療の必要な動物に配列番号１〜２８に示されるいずれかのポリペプチドを投与することを含んでなる、癌、自己免疫もしくは移植状態の治療方法。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
液体を蓄え且つ分配するための可撓性重合体容器であって、
共に連結した第１側壁及び第２側壁を備え、これらの側壁間に流体チャンバを画成し、前記第１側壁及び前記第２側壁の各々は、前記流体チャンバに面する内面、及び反対側にある外面を具備する、前記第１側壁及び前記第２側壁と、
前記第１側壁又は前記第２側壁の１つの外面に取り付けられ、自身を貫通しかつ前記外面に実質的に直角な軸線を有する開口を備える取付け品と、
前記第１側壁又は前記第２側壁の１つの前記内面にある複数の物体であって、前記物体は、第１形状を有する第１組の物体と、前記第１形状とは異なる第２形状を有する第２組の物体と、を含んで第１経路及び第２経路を少なくとも具備する複数の経路パターンを形成し、前記第１経路及び第２経路の各々は１ミルより大きく８ミル未満の深さを有する、複数の前記物体と、を備える可撓性重合体容器。
【請求項２】
前記パターンが全体的に格子縞パターンである、請求項１に記載の容器。
【請求項３】
前記第１組の物体の各々が全体的に円形状を有する、請求項１に記載の容器。
【請求項４】
前記第１組の物体の各々が多角形状を有する、請求項１に記載の容器。
【請求項５】
前記第１組の物体の各々が不規則形状を有する、請求項１に記載の容器。
【請求項６】
前記第１組の物体が全体的にＳ字形状をしている、請求項１に記載の容器。
【請求項７】
前記Ｓ字形状の物体が前記容器の第１端から該容器の第２端まで延在する、請求項６に記載の容器。
【請求項８】
前記パターンが前記第１側壁又は前記第２側壁の全表面に亘って延在する、請求項１に記載の容器。
【請求項９】
複数の前記経路の深さが５ミルより小さい、請求項１に記載の容器。
【請求項１０】
複数の前記経路の深さが１ミルから４ミルの範囲にある、請求項１に記載の容器。
【請求項１１】
前記第１組の物体の各々が全体的に涙形状をしており、かつ前記第２組の物体の各々が全体的に円形状をしている、請求項１に記載の容器。
【請求項１２】
前記取付け品の背後領域の前記容器の側壁に固定された可撓性材料の分離片を更に含む、請求項１に記載の容器。
【請求項１３】
容器から液体を排出する方法であって、
内面を具備する側壁を備える、液体を充填した容器を供する段階と、
前記側壁の前記内面に複数の物体を設け、前記物体は、第１形状を有する第１組の物体と、前記第１形状とは異なる第２形状を有する第２組の物体と、を含んで互いに交差する
第１チャネル及び第２チャネルを具備する複数のチャネルを形成し、前記第１チャネル及び第２チャネルの各々は１ミルより大きく８ミル未満の深さを有する、前記物体を設ける段階と、
前記側壁に取り付けられ、自身を貫通しかつ前記外面に実質的に直角な軸線を有する開口を備える取付け品を設ける段階と、
前記容器から流体を抜き出すために吸引を加える段階と、を備える方法。
【請求項１４】
前記容器から流体を抜き出すために加える前記段階において、前記流体が前記容器から実質的に完全に抜き出される、請求項１３に記載の方法。
【請求項１５】
前記容器は前記取付け品に吸引を加える前に箱内部に配置される、請求項１３に記載の方法。
【請求項１６】
液体を蓄え且つ分配するための可撓性重合体容器であって、
共に連結した第１側壁及び第２側壁を備え、これらの側壁間に流体チャンバを画成し、前記第１側壁及び前記第２側壁の各々は、前記流体チャンバに面する内面、及び反対側にある外面を具備する、前記第１側壁及び前記第２側壁と、
前記第１側壁又は前記第２側壁の１つの外面に取り付けられ、自身を貫通しかつ前記外面に実質的に直角な軸線を有する開口を備える取付け品と、
前記側壁の組立の間に前記第１側壁又は前記第２側壁の１つの前記内面に形成された複数の物体であって、前記物体は、第１形状を有する第１組の物体と、前記第１形状とは異なる第２形状を有する第２組の物体と、を少なくとも含んで第１経路及び第２経路を少なくとも具備する複数の経路パターンを形成し、前記第１経路及び第２経路の各々は１ミルより大きく８ミル未満の深さを有する、複数の前記物体と、を備える可撓性重合体容器。
【請求項１７】
前記容器が前記取付け品の反対側領域の前記容器の側壁に固定された材料の分離片を更に含む、請求項１６に記載の容器。
【請求項１８】
前記材料の分離片は前記容器の側壁に熱で密封される、請求項１７に記載の容器。
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】      
【請求項１】  ねじを切った前部分（１）、ねじを切ってない後部分（２）および中間のねじを切ってない軸部分（３）を含む、身体適合性の材料で作った骨ねじであり、
Ａ）骨ねじの表面Ｏtotの、少なくともねじを切ってない軸部分（３）のある一部を含む部分ＯAgは銀被覆されており、；
Ｂ）少なくともねじを切った前部分（１）を含む残りの表面（Ｏtot−ＯAg）は、銀被覆されてなく、かつ
Ｃ）この銀被覆膜が、一切の中間層なしに身体適合性材料に付着されている
ことを特徴とする骨ねじ。
【請求項２】  前記銀被覆膜の厚さが１０μを超えることを特徴とする請求項１記載の骨ねじ。
【請求項３】  前記銀被覆膜を、身体適合性骨材料へ電気化学的に付着されることを特徴とする請求項１または２に記載の骨ねじ。
【請求項４】  前記銀被覆膜が、身体適合性骨ねじ材料へ付着された金属箔であることを特徴とする請求項１または２に記載の骨ねじ。
【請求項５】  前記ねじを切った前部分（１）が、少なくとも３ｍｍの長さであることを特徴とする請求項１から４のいずれか一項に記載の骨ねじ。
【請求項６】  前記ねじを切ってない後部分（２）が、被覆されてないことを特徴とする請求項１から７のいずれか一項に記載の骨ねじ。
【請求項７】  前記ねじを切ってない後部分（２）が、２ｃｍと３ｃｍの間の長さであることを特徴とする請求項１から６のいずれか一項に記載の骨ねじ。
【請求項８】  前記身体適合性材料が、鉄、チタン、タンタルまたはニオブであることを特徴とする請求項１から７のいずれか一項に記載の骨ねじ。
【請求項９】  前記身体適合性の材料が以下の材料の群：ポリラクチド、ポリウレタン、ヒドロキシアパタイト、ガラス、セラミックまたは炭素繊維に属することを特徴とする請求項１から７のいずれか一項に記載の骨ねじ。
【請求項１０】  塗膜した表面ＯAgが、骨ねじの表面Ｏtotの少なくとも１０％を覆うことを特徴とする請求項１から９のいずれか一項に記載の骨ねじ。
【請求項１１】  前記銀被覆膜が質が密であることを特徴とする請求項１から１０のいずれか一項に記載の骨ねじ。
【請求項１２】  前記銀被覆膜がコロイド状でないことを特徴とする請求項１から１０のいずれか一項に記載の骨ねじ。
【請求項１３】  前記ねじを切ってない軸部分（３）が、部分的にのみ銀被覆されることを特徴とする請求項１から１２のいずれか一項に記載の骨ねじ。
【請求項１４】  前記ねじを切ってない軸部分（３）が、軸方向に交互に輪（４）の形状の銀被覆膜を備えることを特徴とする請求項１３に記載の骨ねじ。
【請求項１５】  前記ねじを切ってない軸部分（３）が、軸方向へ走る縦の細長い片の形状の銀被覆膜の縦縞（５）を備えることを特徴とする請求項１３に記載の骨ねじ。
【請求項１６】  請求項１から１５のいずれか一項に記載の骨ねじを含む外部締め付け方法。
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
対象を灌流する方法であり、
(a)第一の液体組成物が、
(i)電解質；
(ii)膠質剤（oncotic agent）；および
(iii)動的緩衝システム(dynamic buffering system)
を含む、従来の生物学的緩衝液を含まない非天然の血漿様溶液であって、
(b)第二の液体組成物が液体血液組成物である、
第一及び第二の液体組成物を該対象に順次導入する段階を含む方法。
【請求項２】
電解質が、Na+、Mg2+、Ca2+及びCl-を含む、請求項1記載の方法。
【請求項３】
非天然の血漿様溶液がK+を更に含む、請求項2記載の方法。
【請求項４】
溶液が血液凝固因子を更に含む、請求項1〜3のいずれか一項記載の方法。
【請求項５】
動的緩衝システムが、有機カルボン酸、その塩またはエステルを含む、請求項1〜4のいずれか一項記載の方法。
【請求項６】
非天然の血漿様溶液が、単糖類および二糖類からなる群より選択される糖質を更に含む、請求項1〜5のいずれか一項記載の方法。
【請求項７】
液体血液組成物が全血またはその誘導体である、請求項1〜6のいずれか一項記載の方法。
【請求項８】
液体血液組成物が最終的に加熱滅菌されない、請求項7記載の方法。
【請求項９】
少なくとも1種の更なる液体組成物の導入を更に含む、請求項1〜8のいずれか一項記載の方法。
【請求項１０】
対象の温度を減少させる段階を更に含む、請求項1〜9のいずれか一項記載の方法。
【請求項１１】
対象を高圧環境に置く段階を更に含む、請求項1〜10のいずれか一項記載の方法。
【請求項１２】
灌流法における使用のためのキットであり、
(a)請求項1〜8のいずれか一項記載のような、従来の生物学的緩衝液を含まない合成血漿様溶液；および
(b)請求項1記載の方法を実行するための使用説明書；
を含むキット。
【請求項１３】
(a)対象の循環系からの液体の導入及び除去のための手段;
(b)請求項1〜8のいずれか一項記載のような、従来の生物学的緩衝液を含まない合成血漿様溶液；および
(c)少なくとも1種の天然の血液成分を含む液体血液組成物；
を含む灌流システム。
【請求項１４】
対象の温度を調節する手段を更に含む、請求項13記載のシステム。
【請求項１５】
対象の環境圧（pressure of the environment）を調節する手段を更に含む、請求項13または14記載のシステム。
【手続補正書】
【提出日】平成18年6月2日(2006.6.2)
【手続補正１】
【補正対象書類名】明細書
【補正対象項目名】特許請求の範囲
【補正方法】変更
【補正の内容】
【特許請求の範囲】
【請求項１】  手持ち型アプリケータと共に使用する分与カートリッジにおいて、
アプリケータのプランジャを受容する開口端部、出口開口部、および該開口端部と該出口開口部との間に延在するチャンバを有する本体と、
前記チャンバ内に摺動自在に収容されるピストンと、
前記チャンバ内に収容される圧搾可能な多孔質材料と、
前記多孔質材料に受容され、前記ピストンが前記チャンバ内で前進して前記多孔質材料を圧搾するに従い、前記出口開口部の方向へ押し出される液体組成物と、
を具備することを特徴とする分与カートリッジ。
【手続補正書】
【提出日】平成18年1月31日(2006.1.31)
【手続補正１】
【補正対象書類名】明細書
【補正対象項目名】特許請求の範囲
【補正方法】変更
【補正の内容】
【特許請求の範囲】
【請求項１】  表面及びそれに付着した印章を有するゲームボールにおいて、印章がアルミニウムトリヒドロキシドを含有するＵＶ硬化性インキを含み、インキの耐衝撃性及び印章と表面の間の付着性が該ゲームボールを競技会でのプレイで使用するのに適したものにするのに充分なものである、ゲームボール。
【請求項２】  ＵＶ硬化性樹脂、
インキ組成物に改善されたパッド転移を提供するのに適切な量のアルミニウムトリヒドロキシド、
着色剤、及び
ＵＶ硬化性樹脂の重合を開始させるための光重合開始剤、
を含み、印章を競技会でのプレイで用いるべきゲームボール上で使用するのに適したものにするような付着特性及び耐衝撃性をもつ硬化した印章を形成する、ＵＶ硬化性インキ組成物。
【請求項３】  ａ．  着色剤、アルミニウムトリヒドロキシド、光重合開始剤及びＵＶ硬化性樹脂を含有するインキ組成物を得る段階、
ｂ．  パッド印刷により印章の形でインキ組成物を塗布する段階、
ｃ．  硬化したフィルムを形成するためインキ組成物を硬化する段階、及び
ｄ．  インキ上にコーティングを施す段階、
を含む、ゲームボールに対し印章を施す方法において、該印章が、該ゲームボールを競技会でのプレイで使用するのに適したものにするのに充分な耐衝撃性を有する方法。
【誤訳訂正書】
【提出日】平成18年1月17日(2006.1.17)
【誤訳訂正１】
【訂正対象書類名】明細書
【訂正対象項目名】特許請求の範囲
【訂正方法】変更
【訂正の内容】
【特許請求の範囲】
【請求項１】  処理室の内部を洗浄し殺菌する装置であって、該処理室のための殺菌液体の供給源と、該殺菌液体の内部に圧力、振幅および周波数の変動と該変動の勾配とを生じさせる手段とを有し、該手段は前記殺菌液体内にキャビテーションを発生させるようになっている、処理室の内部を洗浄し殺菌する装置において、
前記圧力の変動を生じさせる手段は、前記処理室と該処理室を周期的に負圧に接続することのできる切換部材との間の主導管に流入している液柱を具備しており、前記負圧の値は前記振幅または大気圧に関連する値であることを特徴とする、処理室の内部を洗浄し殺菌する装置。
【請求項２】  前記装置は、前記切換部材を前記処理室に接続する主導管と、該主導管を前記大気圧と前記負圧とにそれぞれ接続する二つの導管とを具備し、前記切換部材は前記導管と前記主導管との間を接続する連結通路を有しており、前記切換部材は前記連結通路のうちの一方の連結通路が前記主導管を大気圧に連通させる第一の位置と前記連結通路のうちの他方の連結通路が前記主導管を前記負圧に連通させる第二の位置との間で移動でき、さらに、前記装置は、前記切換部材を前記第一の位置から前記第二の位置へおよび前記第二の位置から前記第一の位置へ移動させる駆動手段を具備していることを特徴とする、請求項１に記載の装置。
【請求項３】  前記切換え部材が回転部材でありまた駆動モータの出力シャフトと一体に運動するようになっていることを特徴とする請求項２に記載の装置。
【請求項４】  前記処理室を一方において前記切換え部材に他方において殺菌液体の前記供給源に接続するようにした末端片を具備していることを特徴とする請求項１から３のうちの１項に記載の装置。
【請求項５】  前記末端片に液密状にかつ取外し自在に接続された第２の可撓連結要素が前記切換え部材と前記処理室との間に配設されていることを特徴とする請求項４に記載の装置。
【請求項６】  前記処理室が取外し自在かつ液密状に相互に接合された２つの部分で形成されていることを特徴とする請求項１から５のうちの１項に記載の装置。
【請求項７】  前記室が、内視鏡の作動部分を受入れるよう一端が開放された管状要素で形成され、前記室の内部が一方において前記切換え部材に接合片を介して接続され他方において殺菌液体の前記供給源に前記内視鏡の生検鉗子のための入口通路を介して接続されていることを特徴とする請求項１から４のうちの１項に記載の装置。
【請求項８】  前記管状室がその両端が開放されている管状要素を含み、前記両端の各々がシール接合部を介在して２つの閉鎖部材の環状溝に係合されていることを特徴とする請求項７に記載の装置。
【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  規則的な構造を含まない第１の面と、前記第１の面が複数の高さの局所極大点を備え、前記第１の面の特性測定値が所定の範囲内にランダムな値を有するようになっていることと、
前記第１の面に対向する第２の面と、を具備する光学フィルム。
【請求項２】  前記高さの局所極大点が実際の高さを有し、前記特性測定値が前記実際の高さと公称高さとの間の差である請求項１に記載の光学フィルム。
【請求項３】  前記特性測定値が、高さの局所極大点に最も近い前記第１の面の傾き角である請求項１に記載の光学フィルム。
【請求項４】  前記特性測定値が、前記フィルムの第２の側面における屈折構造の好ましい方向に対する方向において、高さの局所極大点に最も近い前記第１の面の傾き角である請求項３に記載の光学フィルム。
【請求項５】  前記第２の面が規則的な屈折構造を含む請求項１、２、３又は４のいずれか１つに記載の光学フィルム。
【請求項６】  前記特性測定値が、前記第２の面の上にある前記屈折構造の好ましい方向に関連する請求項５に記載の光学フィルム。
【手続補正書】
【提出日】平成18年10月26日(2006.10.26)
【手続補正１】
【補正対象書類名】明細書
【補正対象項目名】特許請求の範囲
【補正方法】変更
【補正の内容】
【特許請求の範囲】
【請求項１】  チタン系化合物とジルコニウム系化合物とホスフェート生成化合物との組合せ及びそれらの任意の反応生成物を含んでなる触媒組成物であって、上記ホスフェート生成化合物がリン酸アルカリ金属塩、亜リン酸アルカリ金属塩、次亜リン酸アルカリ金属塩又はポリリン酸アルカリ金属塩である触媒組成物。
【請求項２】  ジルコニウムとチタンとのモル比が１〜５：１の範囲内にある、請求項１記載の組成物。
【請求項３】  ジルコニウムとチタンとのモル比が２〜４：１の範囲内にある、請求項１記載の組成物。
【請求項４】  前記ホスフェート系化合物が１〜２５：１の範囲内のホスフェート／チタンモル比で存在する、請求項１記載の組成物。
【請求項５】  前記チタン系化合物が、チタン酸テトラエチル、チタン酸テトラ−ｎ−プロピル、チタン酸テトライソプロピル、チタン酸テトラ−ｎ−ブチル、チタン酸テトラ−（２−エチルヘキシル）、チタンジイソプロポキシドビス（２，４−ペンタンジオネート）、チタンオキシド２，４−ペンタンジオネート又は水に安定なチタン化合物である、請求項１記載の組成物。
【請求項６】  前記チタン系化合物がチタン酸テトラ−ｎ−ブチルである、請求項５記載の組成物。
【請求項７】  前記ジルコニウム系化合物が、酢酸ジルコニウム、ジルコニウムテトラキス（２，４−ペンタンジオネート）、ジルコン酸テトラ−ｎ−ブチル、ジルコン酸テトラ−ｔ−ブチル、ジルコン酸テトラエチル、ジルコニウムイソプロポキシドイソプロパノール錯体、ジルコン酸テトラ−ｎ−プロピル又はジルコニウムテトラキス（トリフルオロ−２，４−ペンタンジオネート）である、請求項１記載の組成物。
【請求項８】  前記ジルコニウム系化合物がジルコニウムテトラキス（２，４−ペンタンジオネート）である、請求項７記載の組成物。
【請求項９】  前記ホスフェート生成化合物がリン酸二水素ナトリウムである、請求項１記載の組成物。
【請求項１０】  １種類以上のジヒドロキシ化合物と１種類以上のジカルボン酸又は対応エステル又はエステル形成型誘導体との反応によりポリエステルを製造する方法であって、上記反応を請求項１乃至請求項９のいずれか１項記載の触媒組成物の存在下で実施する、方法。
【請求項１１】  １種類以上のジヒドロキシ化合物と１種類以上のジカルボン酸又は対応エステル又はエステル形成型誘導体とのエステル交換反応により前駆体オリゴマーを形成し、次いで前駆体オリゴマーを重縮合に付してポリエステルを形成することを含んでなる熱可塑性ポリエステルの製造方法であって、当該プロセスを、請求項１乃至請求項９のいずれか１項記載の触媒組成物の存在下で実施する、方法。
【請求項１２】  前記触媒組成物が、ジカルボン酸又は対応エステル又はエステル形成型誘導体１ｍｍｏｌ当たりのチタン化合物とジルコニウム化合物の合計量にして０．５〜５．０ｍｍｏｌのレベルで存在する、請求項１１記載の方法。
【請求項１３】  前記触媒組成物が、ジカルボン酸又は対応エステル又はエステル形成型誘導体１ｍｍｏｌ当たりのチタン化合物とジルコニウム化合物の合計量にして１．０〜２．０ｍｍｏｌのレベルで存在する、請求項１１記載の方法。
【請求項１４】  前記ジヒドロキシ化合物が１，４−ブタンジオールである、請求項１２記載の方法。
【誤訳訂正書】
【提出日】平成17年4月21日(2005.4.21)
【誤訳訂正１】
【訂正対象書類名】明細書
【訂正対象項目名】００２３
【訂正方法】変更
【訂正の内容】
【００２３】
免疫調節性因子はG-CSF、GM-CSFを含み、CD114またはCD116に結合する任意のもの、ならびに、多数のシグナルタンパク質のチロシンリン酸化を誘導するこれらの因子のペプチド模倣物または非ペプチド模倣物であってよく、それらはインビトロで顆粒球コロニーを形成する一次骨髄細胞を刺激するか、及び/または末梢血の好中球数を増加させる。ナルトグラスチン（Nartograstim）、ミエロポエチン（myelopoietins）、サーキュラー・パーミューテーションされたG-CSF配列、SB247464がG-CSFの既知の模倣物に含まれる。McWherterらのBiochemistry 14: 4564〜71, 1999、FengらのBiochemistry 14: 4553〜63, 1999、TianらのScience 281: 257〜59, 1998、及びKuwabaraらのAm. J. Physiology 271: E73〜84 1996参照。M-CSFも本発明により用いられうる。当技術分野で既知であるようなアゴニストを投与してもよい。通常これは、皮下（subcutaneous）注射または静脈内注射によると考えられるが、経口投与、腹腔内投与、皮下（subdermal）投与、及び筋肉内投与といった他の方法を用いることもできる。送達される用量は、他の疾患を目標としてヒトの免疫応答を刺激するために送達される用量と同じであってよい。因子の通常の用量は、1日あたり約0.1μg/kg体重から100μg/kg体重の間であると考えられる。1日あたり約1.0μg/kg体重から10μg/kg体重の用量がより好ましいと考えられる。同じ活性を得るために、ペプチド模倣物及び非ペプチド模倣物の対応する量を利用できる。10から60の範囲内の値を維持するため、白血球数をモニターすることができる。
【誤訳訂正２】
【訂正対象書類名】明細書
【訂正対象項目名】特許請求の範囲
【訂正方法】変更
【訂正の内容】
【特許請求の範囲】
【請求項１】
CD114（顆粒球コロニー刺激因子受容体（G-CSFR））に結合し、インビトロで顆粒球コロニーを形成する一次骨髄細胞を刺激し、および／または末梢血の好中球数を増加させる、G-CSFの一形態を免疫刺激量含む、クローン病を治療するための剤であって、糖原病（Glycogen Storage Disease）1b型を持たないクローン病の患者に投与するための、剤。
【請求項２】
CD114（顆粒球コロニー刺激因子受容体（G-CSFR））に結合し、インビトロで顆粒球コロニーを形成する一次骨髄細胞を刺激し、および／または末梢血の好中球数を増加させる、G-CSFの一形態を免疫刺激量含む、クローン病を治療するための剤であって、慢性肉芽腫症を持たないクローン病の患者に投与するための、剤。
【請求項３】
CD114（顆粒球コロニー刺激因子受容体（G-CSFR））に結合し、インビトロで顆粒球コロニーを形成する一次骨髄細胞を刺激し、および／または末梢血の好中球数を増加させる、G-CSFの一形態を免疫刺激量含む、クローン病を治療するための剤であって、遺伝病によって引き起こされる、現在特徴付けられていて同定可能な特定の好中球異常を持たないクローン病の患者に投与するための、剤。
【請求項４】
CD114（顆粒球コロニー刺激因子受容体（G-CSFR））に結合し、インビトロで顆粒球コロニーを形成する一次骨髄細胞を刺激し、および／または末梢血の好中球数を増加させる、G-CSFの一形態を免疫刺激量含む、フィステル再発のリスクを抑制または減少させるための剤であって、以前にフィステルに罹患したクローン病の患者に投与するための、剤。
【請求項５】
G-CSFの一形態がヒトG-CSFである、請求項１から４のいずれか一項記載の剤。
【請求項６】
G-CSFの一形態がナルトグラスチン（Nartograstim）である、請求項１から４のいずれか一項記載の剤。
【請求項７】
G-CSFの一形態がミエロポエチン（myelopoietins）である、請求項１から４のいずれか一項記載の剤。
【請求項８】
G-CSFの一形態がサーキュラー・パーミューテーションされたG-CSF配列である、請求項１から４のいずれか一項記載の剤。
【請求項９】
患者が小腸、大腸、または直腸のうち少なくとも一つの粘膜炎症性疾患を持っていて、含まれるG-CSFの一形態の量が粘膜の炎症を減少させるのに十分である、請求項1から請求項８のいずれか一項記載の剤。
【請求項１０】
含まれるG-CSFの一形態の量が粘膜疾患の寛解を誘導するのに十分である、請求項９記載の剤。
【請求項１１】
患者が小腸、大腸、または直腸のうち少なくとも一つの上皮損傷を伴っていて、含まれるG-CSFの一形態の量が上皮損傷を修復させるために十分である、請求項1から請求項８のいずれか一項記載の剤。
【請求項１２】
含まれるG-CSFの一形態の量が患者の症状発現を減少させるために十分である、請求項1から請求項８のいずれか一項記載の剤。
【請求項１３】
患者がフィステルまたは肛門周囲膿瘍に罹患していて、含まれるG-CSFの一形態の量がフィステルまたは肛門周囲膿瘍を減少させるために十分である、請求項1から請求項８のいずれか一項記載の剤。
【請求項１４】
患者が寛解期にある、請求項1から請求項８のいずれか一項記載の剤。
【請求項１５】
患者が、胃腸管の罹患部分の外科的治療を受けている、請求項1から請求項８のいずれか一項記載の剤。
【請求項１６】
患者がクローン病の腸管外の症状発現を伴っていて、含まれるG-CSFの一形態の量が腸管外の症状発現を減少させるために十分である、請求項1から請求項８のいずれか一項記載の剤。
【請求項１７】
腸管外の症状発現が炎症性の眼病である、請求項１６記載の剤。
【請求項１８】
炎症性の眼病が、虹彩炎、ブドウ膜炎、及び上鞏膜炎（episcleritis）からなる群より選択される、請求項１７記載の剤。
【請求項１９】
腸管外の症状発現が皮膚疾患である、請求項１６記載の剤。
【請求項２０】
皮膚疾患が、壊疽性膿皮症及び結節性紅斑からなる群より選択される、請求項１９記載の剤。
【請求項２１】
腸管外の症状発現が肝臓疾患である、請求項１６記載の剤。
【請求項２２】
肝臓疾患が原発性硬化性胆管炎である、請求項２１記載の剤。
【請求項２３】
腸管外の症状発現が胆管疾患である、請求項１６記載の剤。
【請求項２４】
減少された用量の免疫抑制剤をさらに含む、請求項1から請求項８のいずれか一項記載の剤。
【請求項２５】
免疫抑制剤が、副腎皮質ステロイド、6-メルカプトプリン、アザチオプリン、及びメトトレキセートからなる群より選択される請求項２４記載の剤。
【請求項２６】
腸管外の症状発現が胃の炎症である、請求項１６記載の剤。
【請求項２７】
腸管外の症状発現が食道疾患である、請求項１６記載の剤。